(57)【要約】【課題】従来の粉体や粒状体用さじ形状の計量スプーンのように、すくい上げた粉体や粒状体等の計量対象物を、計量スプーンの縁部を擦り切って計量するという作業を省略して、片手ですくい上げるだけで一定量が残り、目視で簡単に計量が可能な計量具であり、これをより正確な計測具として提供する。【解決手段】平板よりなる底部と、平板に相似な面を底面とする頭部とを有し、底部を形成する平板の重心と、底面に垂直で底面の重心を通る頭部の軸とが、平板と底面とが平行で同じ向きになるように棒で結合され、底部の平板と頭部の間に、底部の平板と相似な平板が平行に設けられ、平板上面の外周は、頭部下面と底部の平板上面とで形成される錘台の斜面に接する事を特徴とする計量スプーン。【選択図】図１
2013195352.tif 000002
【特許請求の範囲】
【請求項１】
平板よりなる底部と、平板に相似な面を底面とする頭部とを有し、底部を形成する平板の重心と、底面に垂直で底面の重心を通る頭部の軸とが、平板と底面とが平行で同じ向きになるように棒で結合され、底部の平板と頭部の間に、底部の平板と相似な平板が平行に設けられ、平板上面の外周は、頭部下面と底部の平板上面とで形成される錘台の斜面に接する事を特徴とする計量スプーン。
【請求項２】
頭部が、錘台の斜面の延長面よりなる錐体である事を特徴とする請求項１に記載の計量スプーン。
【請求項３】
底部の平板の底面形状が、球形又は楕円球形、あるいは錘体形である事を特徴とする請求項１又は２に記載の計量スプーン。
【請求項４】
錘台の頂角が４５度未満である事を特徴とする請求項１又は３のいずれかに記載の計量スプーン。
【請求項５】
各平板の上面の形状が凹で、外周から平板の重心に向かって、連続的に傾斜している事を特徴とする請求項１〜４のいずれかに記載の計量スプーン。
【請求項６】
各平板の上面の外周部が、頭部方向に立ち上がっている事を特徴とする請求項１〜５のいずれかに記載の計量スプーン。
【請求項７】
各平板の形状が、円形、又は多角形である事を特徴とする請求項1から６のいずれかに記載の計量スプーン。
【発明の詳細な説明】
【技術分野】
【０００１】
本発明は、粉体、粒状物を計量する計量スプーンに関するものであり、調理等の時に、簡単に調味料などの計量が出来る計量スプーンに関する。
【背景技術】
【０００２】
調味料や甘味料などの材料を、比較的少量だけ計量するには、さじ形状の計量スプーンが使用されてきた。この計量スプーンは、例えば図１１に示すような球形を切り取ったような形状の計量部１１と、計量部に接続し、計量時には手で掴む柄１２から構成されている。
【０００３】
さじ形状の計量スプーンは、液体を計量する場合、単に計量対象物を計量スプーンで上面を水平にすくい上げれば、ほぼ正確に計量できる。しかし、粉体や粒状物などを計量する場合は、計量スプーンの計量縁部１３よりも中央を高く山盛りに計量対象物を入れ、その後、計量スプーンを容器から取り出す際に、計量スプーンの計量縁部１３に沿って、擦り切りバーなどを使用し、平らに山盛り部分の計量対象物を擦り切って、余分に入れた計量対象物を元の容器内に落とし、戻すことで、所定の計量を行っていた。
従って、通常、両手で作業する事になってしまうので、テーブルなどのある所では哺乳瓶へ粉乳などを入れることは可能だが、外出先などでは難しく、1回分ずつの小袋を用意するなど、手間になっていた。
又、特に湿気を吸い易い計量対象物などでは、計量スプーンの計量部が深いと、こびりついて、落下しにくくなるなどの問題も発生する。
この為、さじ形状の計量スプーンは、円形状の縁部１３を持ち、計量部の深さもその直径に比べて、比率が１以下の浅いものが多かった。
【０００４】
又、計量部の縁部の高さと操作保持部をつなぐ柄の部分の上面１４が、従来の計量スプーンでは同一面上にあり、上面が平面状にしている。
これは、計量する場合に精度を良くする為に、計量スプーンに多めにすくい上げた計量対象物を、計量スプーンの縁部面１３において、擦り切りバーで擦り切って計量する「擦り切り作業」をしやすくする為であり、このことによって形状的にも制約を受けていた。
【０００５】
所で、従来、粉体や粒状物は、多くは円柱形の金属缶に収納されて販売されて来ていた。これは、円柱形金属缶は、嵌合隙間を小さくでき、材質的にも湿度を通さず、長期の変色、変質が起きにくい為である。しかしながら、缶の廃棄などを考えると、又、大量に保管する倉庫や運送を考えると、非常に高価な容器といえる。近年、これらの粉体や粒状体を入れる安価な包装容器として、金属層や二酸化ケイ素層、酸化アルミ層を内部に持つことによって、防湿性能を向上させることが容易になり、これでプラスチックフィルム製の軟質容器袋を作り、チャック袋にしたりして、簡素化、省資源化する方向になって来た。このため、上記擦り切りバーを容器入口近傍に作って、それで計量することが難しくなってしまった。
【０００６】
特許文献１では、粉体や粒状体の計量をより簡便に行うという目的で、二種類の計量を一本で可能にするために、計量スプーンの表計量部の背面に裏計量部を設け、表裏で計量する数量が異なる両面計量スプーン、すなわち形状としては計量スプーンの計量部の凹部のほぼ中央を凸部とする計量スプーンも挙げられるが、この計量スプーンは、単に数種類の計量スプーンが一体になっているだけで、粉体や粒状体を計ろうとすると、擦り切りバ
ーが必要で、片手だけでの操作では限界があった。
【０００７】
液体の計量では、特許文献２に示すようなすくい出し具が考案されている。この計量治具は、蜂蜜のような高粘度の液体を計量する治具で、粘度が高い為、すくった状態で、直ぐには流れ落ちてしまわない状態になり、短時間であれば、すくった状態を維持できるので、すくい上げる事はできる。
しかし、わずかな温度による粘度の変化や、引き上げ速度の違いで、すくい出す容量が変動し、定量のすくい出しは困難であり、特に粉体になると、粉体の詰まり方が不安定で、下側のすくい板部分は特に、隙間に粉が入りきれず、ばらつく問題があり、定量の計量には向かない問題があった。
【先行技術文献】
【特許文献】
【０００８】
【特許文献１】実開平６−６９７５０号公報
【特許文献２】実開昭６０−９８４８１号公報
【発明の概要】
【発明が解決しようとする課題】
【０００９】
従来の粉体や粒状体用さじ形状の計量スプーンのように、すくい上げた粉体や粒状体等の計量対象物を、計量スプーンの縁部を擦り切って計量するという作業を省略して、片手ですくい上げるだけで一定量が残り、目視で簡単に計量が可能な計量具であり、これをより正確な計測具として提供することが、本発明の課題である。
【課題を解決するための手段】
【００１０】
上記目的を達成するため、本発明の請求項１に係る計量スプーンは、平板よりなる底部と、平板に相似な面を底面とする頭部とを有し、底部を形成する平板の重心と、底面に垂直で底面の重心を通る頭部の軸とが、平板と底面とが平行で同じ向きになるように棒で結合され、底部の平板と頭部の間に、底部の平板と相似な平板が平行に設けられ、平板上面の外周は、頭部下面と底部の平板上面とで形成される錘台の斜面に接する事を特徴とする計量スプーンである。
【００１１】
又、請求項２に係る計量スプーンは、頭部が、錘台の斜面の延長面よりなる錐体である事を特徴とする計量スプーンである。
【００１２】
さらに、請求項３に係る計量スプーンは、底部の平板の底面形状が、球形又は楕円球形、あるいは錘体形である事を特徴とする計量スプーンである。
【００１３】
次の請求項４に係る計量スプーンは、錘台の頂角が４５度未満である事を特徴とする計量スプーンである。
【００１４】
さらに次の請求項５に係る計量スプーンは、各平板の上面の形状が凹で、外周から平板の重心に向かって、連続的に傾斜している事を特徴とする計量スプーンである。
【００１５】
さらに次の請求項６に係る計量スプーンは、各平板の上面の外周部が、頭部方向に立ち上がっている事を特徴とする計量スプーンである。
【００１６】
さらに次の請求項７に係る計量スプーンは、各平板の形状が、円形、又は多角形である事を特徴とする計量スプーンである。
【発明の効果】
【００１７】
本発明の計量スプーンを使用すると、計量対象物が、プラスチック袋など、擦り切りバーを設置する事が難しい軟包装容器に入っていても、図７、図８に図示したように、容器に入った計量対象物の中に本発明の治具を奥深く差し込み、のの字を書く様に回してすくい、板の上に対象物を充填し、単に垂直に引き上げるだけで、定量の粉体を引き上げる事ができる。
特にこの計量スプーンの場合、さじ形状の計量スプーンのように、すり切る必要もなく、片手で計量が可能であるので、乳幼児への粉ミルクの作成などには非常に便利である。
【図面の簡単な説明】
【００１８】
【図１】本発明による第１の実施形態である計量スプーンの形状外観図である。
【図２】図１の計量部分で、接続棒の中心線で切断した断面図である。
【図３】本発明による第２の実施形態である計量スプーンである。
【図４】第３の実施例で、計量部分を、棒の中心線で切断した断面図である。
【図５】本発明の計量スプーンで、粉体を計量している計量部の断面図である。
【図６】本発明による別の実施例を示す計量部の断面図と底面図である。
【図７】本発明による計量スプーンを、計量する内容物が入っている袋に入れて、計量部に計量物を入れている図である。
【図８】本発明による計量スプーンを、計量する内容物が入っている袋から垂直に抜いて、計量している図である。
【図９】使用する瓶に、計量した粉体と計量スプーンを挿入している図である。
【図１０】使用する瓶に、計量スプーンから計量した粉体を充填している図である。
【図１１】従来のさじ形状の計量スプーンの図である。
【図１２】従来の高粘度液体用すくい出し治具の図である。
【図１３】本発明による計量スプーンの実施例を示した図である。
【図１４】本発明による計量スプーンの別の実施例を示した図である。
【発明を実施するための形態】
【００１９】
以下、本発明の計量スプーンの実施形態について、図面を用いて説明する。
本発明の計量スプーンは、平板よりなる底部と、平板に相似な面を底面とする頭部とを有し、底部を形成する平板の重心と、底面に垂直で底面の重心を通る頭部の軸とが、平板と底面とが平行で同じ向きになるように棒で結合され、底部の平板と頭部の間に、底部の平板と相似な平板が平行に設けられ、平板の外周は、底部の平板と底面とで形成される錘台の斜面に接している。図１は、本発明の第１の実施形態の形状外観図である。以下、上記平板をすくい板、棒を接続棒と称する。
【００２０】
図２の計量部の断面図で示すように、すくい板２の周囲２１が、その頭部の周囲１１、又は隣接する頭部側すくい板周囲２１に比べ、接続棒３中心からの距離２２を大きくなるように設定している。従って、すくい板は、頭部の底面に相似の形状で、大きさは頭部側から次第に大きくなっている。この為、計量物の重量や計量部を引き上げる力で、周囲からすくい板の隙間に入り込む力が生じ、素直に粉体や粒体が、すくい板の隙間に充填していく。
このすくい板２の周囲２１の軌跡が円錐や角錐ではなく、下に向かってすくい板が小さくなるすり鉢状や、上下の大きさが大きく、中央が小さな鼓状、上下のすくい板は小さく、中央が大きな菱形状や図１２のような球状などの場合では、下のすくい板が上のすくい板に対して小さくなっている部分で、計測対象物の充填状態が不安定で、ばらつき、粉体や粒体の計量には向かない。
その為、すくい板２の周囲２１の軌跡は、円錐又は角錐といった錐体の形状にした。それによって、すくう力が発揮でき、かつ、容易に余分な周囲の粉体や粒体が、傾斜面に沿ってきれいに滑り落ちる。この定量が安定するように、すくい板２の周囲２１の軌跡で構成される錐体の頂角４１は、４５度以上に大きいと、すくい板の周囲の粉体や粒体が塊のよ
うになって落ちていかない問題があり、定量が安定するように４５度未満とする。
【００２１】
この計量スプーンの使用方法は、一例として、袋に入った粉体を計量する場合、図７のように、袋にある粉体の中に、本発明の計量スプーン突っ込み、すくい板とすくい板の間や、頭部とすくい板の間に、粉体を入れる。そして、図８のように、袋の中の粉体中に挿入した計量スプーンを垂直に引き上げるだけで、計量できる。この計量した粉体は、図９のように、次の容器内部に挿入し、計量スプーンを、図１０のように、単に斜めに傾斜させたり、振ったりすれば、粉体は計量スプーンから離れ、使用する容器の上に落下する。このように、本発明の計量スプーンは、単に計量対象物の粉体の中に計量部を挿入し、垂直に引き上げ、計量部を傾斜させるだけで、容易に計量が出来るのである。
図９からも分るように、頭部１から一番離れたすくい板の外径９は、挿入する容器の口径１０よりも充分小さくする必要がある。
【００２２】
図３は、別の実施例の形状で、頭部１や、すくい板２の形状が、多角形をしており、角部はアールを付けている。断面は図２と同じように、すくい板２の周囲２１が、その頭部側の頭部の周囲１１、又は隣接する頭部側すくい板周囲２１０に比べ、接続棒中心からの距離２２を大きくなるように設定している。図では四角であるが、五角形でも、六角形でもかまわないし、角が必ずしも円弧にしていなくてもかまわない。
【００２３】
計量部における図４の詳細図は、計量部におけるすくい板２の断面形状を示したもので、すくい板２のすくい面２３は、その中心に向かって、周囲に対し、連続的に凹に傾斜している。そして、周囲の縁２４部分はさらに盛り上げ高くしてある。これは、垂直に接続棒を持ち上げた場合、粉体や粒体が中央に収まっているようにする為である。
【００２４】
頭部の上面が平らな面を作らないよう、傾斜角度を付けたほうが良い。
頭部の上が平らであったり、傾斜が小さな場合、計量スプーンを容器である袋からすくい上げた時、多少粉体や粒体が残る場合がある。この粉体や粒体の残りは誤差になる為、頭部１の形状を図１や図３のように、錘台の斜面の延長面よりなる錐体であるようにして、その錐体の頂角を４５度未満にすれば、確実に頭部の上に粉体や粒体が残らなくなり、精度が向上する。
従って、この頭部の頂角は、必ずしも頂角５とは違って、より小さくしてもかまわない。
【００２５】
すくい板とすくい板、又は頭部とすくい板の間隔は、あまり狭いと、粒体を計量する場合、特に問題になる。基本的に、計量したい量に合わせ算出して配置する。等間隔である必要はない。ただ、流動性の低い粉体を対象とする為、間隔が狭いと、粉体がすくい板とすくい板の間に詰まったり、すくい板の中央まで均等に充填しない場合がある。
安息角が小さい粉体や粒体は、すくい板の中央まで均一に充填しやすいが、逆にすくい板とすくい板との間隔が大きいと、かえって、計量スプーンを引き上げる時、こぼれやすくなるので、ばらつきの原因になる。そこで、その粉体や粒体の流動性と粒度に合わせて、狭くなり過ぎないよう、広くなり過ぎないように調整する。
【００２６】
図４に示したように、すくい板のすくい面２３は、中央に向かって凹に傾斜を付ける方が、安定して充填し易い。わずかな傾斜でも、確実に中央に粉体や粒体が充填しやすくなる。さらに、すくい板周囲の縁２４は、庇側に立ち上がっている立ち上がりを付けると、さらに、充填しやすいだけではなく、確実に周囲にある粉体や粒体を落とす役目も発揮でき、計量が安定する。
【００２７】
頭部１から一番離れた底部の底面４は、円錐、角錐、球体の一部、又は楕円の一部の形状にして、回転や摺動するのに適した形状にする。肉盗みをしようと、図６のように、底面にリブを設ける場合は、計量する粉体や粒体の中を回転させたり、直線的に動かしたり
するのに抵抗が大きくならないように、リブの高さを極力抑える事が好ましい。
【００２８】
本発明の計量スプーンの材質は、容器の中で容易に計量スプーンから落下しやすくする為、粉末や粒体との滑り性が良い物が好ましいし、静電気を保持しにくいものが好ましいが、湿気は吸収しにくい性質も、対象物によっては必要である。その為、計量する粉体や粒体の性質による。通常は、ポリオキシメチレン樹脂やポリプロピレン樹脂、ポリエチレン樹脂、フッ化ポリエチレン樹脂、ポリメチルペンテン樹脂、シクロオレフィン樹脂、又はそれらの共重合体や、アクリロニトリルブタジエンスチレン共重合樹脂、などが考えられる。
【００２９】
本発明の計量スプーンの形状は、上記ポリオキシメチレン樹脂やポリプロピレン樹脂のようなプラスチックで射出成形により、一体で製造してもかまわないが、中央で凹状に傾斜している形状を確実に作るには、図１３のように、すくい板一枚一枚を個別に製造し、それらを組み立てて製造する方法も考えられる。
すくい板は、上側が傾斜した面にした場合、裏面も傾斜して、中央の厚みが薄くならないようにしてもかまわない。その方が、変形も少なく、良好な製品が製造できる。
【００３０】
実施例として、図１３の計量スプーンは、接続棒３の先端に孔３１が設けられている。計量スプーンを取り出す時、この孔に指を引っ掛けて引き上げれば、確実に垂直に引き上げられる。
このすくい板２と頭部１は、それぞれ１枚ずつのすくい板を射出成形し、それらを接続棒３に差し込んで、接続棒先端を超音波でカシメたものである。接続棒３も射出成形で得られたものである。
又、実施例図１４の計量スプーンは、接続棒の先端がスプーン形状になっており、この接続棒スプーン３２によって、計量スプーンでは計量出来ない程、残量が少なくなって来た場合に、取り出すのに便利なようにした例であり、このように本計量スプーンは、工夫によって、より取り出しやすく、又、取り出しに便利な治具となる。
【００３１】
本発明の計量スプーンは、以上のようなもので、例えば、幼児用の粉ミルクを哺乳瓶に入れるのに使用したり、コーヒーやミルクココア、粉末サプリメント、ソフトクリーム用粉末など多くの種類の粉体や粒体に使用して、定量を取り出す事ができるので、常に安定した濃度、品質の調理が、片手ですばやくでき、デザイン的にも優れた計量スプーンである。
【符号の説明】
【００３２】
１・・・・・・頭部
１１・・・・・頭部の周囲
２・・・・・・すくい板（平板）
２１・・・・・すくい板の周囲
２１０・・・・すくい板周囲
２２・・・・・すくい板（平板）上面外周の接続棒中心からの距離
２３・・・・・すくい面
２４・・・・・周囲の縁（すくい板周囲の縁立ち上がり）
３・・・・・・接続棒
３１・・・・・接続棒孔
３２・・・・・接続棒スプーン
４・・・・・・すくい板下面
４１・・・・・すくい板下面の肉盗み
５・・・・・・頂角
６・・・・・・粉体又は粒体
７・・・・・・袋
８・・・・・・瓶
９・・・・・・底部の外径９
１０・・・・・挿入する容器の口径
１２・・・・・柄
１３・・・・・計量部
１３０・・・・計量部縁部
１４・・・・・柄の上面
【図１】
2013195352.tif 000003
【図３】
2013195352.tif 000004
【図１１】
2013195352.tif 000005
【図１２】
2013195352.tif 000006
【図２】
2013195352.tif 000007
【図４】
2013195352.tif 000008
【図５】
2013195352.tif 000009
【図６】
2013195352.tif 000010
【図７】
2013195352.tif 000011
【図８】
2013195352.tif 000012
【図９】
2013195352.tif 000013
【図１０】
2013195352.tif 000014
【図１３】
2013195352.tif 000015
【図１４】
2013195352.tif 000016